(57)【要約】【課題】使用中の収納箱の下側にゴミ箱として利用される使用済みの収納箱が連結される場合であっても、使用済みの収納箱の中へゴミを容易に捨てることが可能な収納箱を提供する。【解決手段】収納箱１の側面部５にはミシン目９が形成されており、側面部５の一部をミシン目９に沿って切り、上面部３と側面部５との境界８で折り曲げると、折り曲げられた側面部５の一部によって舌片部１０が形成されるとともに、舌片部１０と同形状の開口部１１が側面部５に形成される。側面部５の、ミシン目９の下側には、底面部と側面部５との境界１２に沿って直線状のミシン目が側面部５を貫通するように形成されている。２個の収納箱１Ａ、１Ｂを上下に重ねて、上側に配置される収納箱１Ａの、ミシン目に沿って切られて形成される被差込み部１４に、下側に配置される収納箱１Ｂの舌片部１０を差し込むと、２個の収納箱１Ａ、１Ｂが連結される。【選択図】図３
0003170615.tif 000002
【実用新案登録請求の範囲】
【請求項１】
上面部と底面部と４個の側面部とを備え、中空の直方体状に形成されるとともに、前記上面部に、被収納物を取り出すための取出用開口部が形成される紙製の収納箱において、
前記側面部に、前記上面部と前記側面部との境界に繋がる第１のミシン目が前記側面部を貫通するように形成され、
前記第１のミシン目は、前記側面部の一部を前記第１のミシン目に沿って切り前記上面部と前記側面部との境界で折り曲げると、折り曲げられた前記側面部の一部によって舌片部が形成されるとともに、前記舌片部と同形状の開口部が前記側面部に形成されるように形成され、
前記側面部の、前記第１のミシン目の下側には、前記底面部と前記側面部との境界に沿って直線状の第２のミシン目あるいは直線状の切り込みが前記側面部を貫通するように形成され、
２個の前記収納箱を上下に重ねて、上側に配置される前記収納箱の、前記第２のミシン目に沿って切られて形成される被差込み部または上側に配置される前記収納箱の前記切り込みに、下側に配置される前記収納箱の前記舌片部を差し込むと、上下で重なる２個の前記収納箱が連結されることを特徴とする収納箱。
【請求項２】
前記第１のミシン目は、略Ｕ形状に形成されていることを特徴とする請求項１記載の収納箱。
【請求項３】
前記側面部として、互いに略平行な２個の第１側面部と、前記第１側面部に略直交するとともに互いに略平行な２個の第２側面部とを備え、
前記第１側面部の横方向の幅は、前記第２側面部の横方向の幅よりも広くなっており、
２個の前記第１側面部のそれぞれに、２個の前記第１のミシン目と、２個の前記第２のミシン目または前記切り込みとが形成されていることを特徴とする請求項１または２記載の収納箱。
【考案の詳細な説明】
【技術分野】
【０００１】
本考案は、ティッシュペーパー収納箱等の紙製の収納箱に関する。
【背景技術】
【０００２】
従来、ティッシュペーパーを使い切った後の使用済みのティッシュペーパーの収納箱をゴミ箱として再利用することが可能なティッシュペーパーの収納箱が提案されている（たとえば、特許文献１および２参照）。
【０００３】
特許文献１に記載の収納箱では、２個の収納箱を連結するための切り込みと挿入片とがその側面部に形成されている。また、ティッシュペーパーが収納された使用中の収納箱の切り込みに、ティッシュペーパーを使い切った後の使用済みの収納箱の挿入片を挿入することで、２個の収納箱を横方向に並べて連結することが可能になっている。使用中の収納箱に連結された使用済みの収納箱は、ゴミ箱として利用されており、ティッシュペーパーを取り出すために元々、形成されていた収納箱の上面の開口部から使用済みの収納箱の中に使用済みのティッシュペーパー等のゴミが捨てられる。
【０００４】
特許文献２に記載の収納箱では、その上面にミシン目が形成されており、上面の一部をミシン目に沿って切り、立ち上げることで、２個の収納箱を連結するための連結片が形成される。また、使用中の収納箱の側面の下端側に、使用済みの収納箱の連結片を貼り付けることで２個の収納箱を上下に重ねて連結することが可能になっており、下側に配置される使用済みの収納箱がゴミ箱として利用されている。連結片は、使用中の収納箱と使用済みの収納箱とを繋ぐ蝶番となっており、連結片を支点として使用中の収納箱を回動させた後に、ティッシュペーパーを取り出すために元々、形成されていた収納箱の上面の開口部から使用済みの収納箱の中に、使用済みのティッシュペーパー等のゴミが捨てられる。
【先行技術文献】
【特許文献】
【０００５】
【特許文献１】実開平２−８０５８５号公報
【特許文献２】実開昭５８−１４３３６７号公報
【考案の概要】
【考案が解決しようとする課題】
【０００６】
特許文献１および２に記載の収納箱では、ゴミ箱として利用される使用済みの収納箱が使用中の収納箱に連結されるため、簡易な構成で、使用中の収納箱の近くに使用済みの収納箱を配置することが可能である。しかしながら、特許文献１に記載の収納箱では、２個の収納箱が横方向に並べて連結されるため、比較的広いスペースがないと、連結された２個の収納箱を置くことができない。
【０００７】
これに対して、特許文献２に記載の収納箱では、２個の収納箱が上下に重なった状態で連結されるため、狭いスペースでも、連結された２個の収納箱を置くことが可能になる。しかしながら、特許文献２に記載の収納箱の場合、ゴミ箱として利用される使用済みの収納箱が下側に配置されており、連結片を支点として使用中の収納箱を回動させないと、使用済みの収納箱の中へゴミを捨てることができない。
【０００８】
そこで、本考案の課題は、被収納物を取り出すための取出用開口部が上面部に形成される収納箱において、使用中の収納箱の下側にゴミ箱として利用される使用済みの収納箱が連結される場合であっても、使用済みの収納箱の中へゴミを容易に捨てることが可能な収納箱を提供することにある。
【課題を解決するための手段】
【０００９】
上記の課題を解決するため、本考案の収納箱は、上面部と底面部と４個の側面部とを備え、中空の直方体状に形成されるとともに、上面部に、被収納物を取り出すための取出用開口部が形成される紙製の収納箱において、側面部に、上面部と側面部との境界に繋がる第１のミシン目が側面部を貫通するように形成され、第１のミシン目は、側面部の一部を第１のミシン目に沿って切り上面部と側面部との境界で折り曲げると、折り曲げられた側面部の一部によって舌片部が形成されるとともに、舌片部と同形状の開口部が側面部に形成されるように形成され、側面部の、第１のミシン目の下側には、底面部と側面部との境界に沿って直線状の第２のミシン目あるいは直線状の切り込みが側面部を貫通するように形成され、２個の収納箱を上下に重ねて、上側に配置される収納箱の、第２のミシン目に沿って切られて形成される被差込み部または上側に配置される収納箱の切り込みに、下側に配置される収納箱の舌片部を差し込むと、上下で重なる２個の収納箱が連結されることを特徴とする。
【００１０】
本考案では、側面部の一部を第１のミシン目に沿って切り上面部と側面部との境界で折り曲げると、折り曲げられた側面部の一部によって舌片部が形成されるとともに、舌片部と同形状の開口部が側面部に形成される。また、本考案では、２個の収納箱を上下に重ねて、上側に配置される収納箱の被差込み部または切り込みに、下側に配置される収納箱の舌片部を差し込むと上下で重なる２個の収納箱が連結される。そのため、連結時に下側に配置される収納箱の側面部には、開口部が形成されている。したがって、本考案では、使用中の収納箱の下側にゴミ箱として利用される使用済みの収納箱が連結される場合であっても、開口部から使用済みの収納箱の中へゴミを容易に捨てることが可能になる。
【００１１】
また、本考案では、側面部の一部を第１のミシン目に沿って切り上面部と側面部との境界で折り曲げると、折り曲げられた側面部の一部によって舌片部が形成されるとともに、舌片部と同形状の開口部が側面部に形成されるため、２個の収納箱を連結するための舌片部を形成すれば、下側に配置される収納箱にゴミを入れるための開口部が必然的に形成される。したがって、本考案では、収納箱の構成を簡素化することが可能になる。また、本考案では、下側に配置される収納箱にゴミを入れるための開口部を容易に形成することが可能になる。
【００１２】
本考案において、第１のミシン目は、略Ｕ形状に形成されていることが好ましい。このように構成すると、第１のミシン目に沿って切られて折り曲げられることで形成される舌片部が略Ｕ形状となる。したがって、２個の収納箱を連結する際に、被差込み部または切り込みに舌片部を差し込みやすくなる。
【００１３】
本考案において、収納箱は、側面部として、互いに略平行な２個の第１側面部と、第１側面部に略直交するとともに互いに略平行な２個の第２側面部とを備え、第１側面部の横方向の幅は、第２側面部の横方向の幅よりも広くなっており、２個の第１側面部のそれぞれに、２個の第１のミシン目と、２個の第２のミシン目または切り込みとが形成されていることが好ましい。このように構成すると、横方向の幅の広い２個の第１側面部のそれぞれに２個の舌片部と２個の被差込み部または切り込みとが形成されるため、２個の舌片部間の距離、および、２個の被差込み部または切り込み間の距離を広げることが可能になる。したがって、合計４個の舌片部と、被差込み部または切り込みとによって、２個の収納箱の連結強度を高めることが可能になる。また、このように構成すると、横方向の幅の広い第１側面部に、舌片部と、被差込み部または切り込みとが形成されるため、第２側面部に、舌片部と、被差込み部または切り込みとが形成される場合と比較して、下側に配置される収納箱の強度を確保しやすくなる。
【考案の効果】
【００１４】
以上のように、本考案では、被収納物を取り出すための取出用開口部が上面部に形成される収納箱において、使用中の収納箱の下側にゴミ箱として利用される使用済みの収納箱が連結される場合であっても、使用済みの収納箱の中へゴミを容易に捨てることが可能になる。
【図面の簡単な説明】
【００１５】
【図１】本考案の実施の形態にかかる収納箱の斜視図である。
【図２】図１に示す収納箱の側面図である。
【図３】図１に示す収納箱同士を連結する前の状態の斜視図である。
【図４】図１に示す収納箱同士を連結した状態の斜視図である。
【考案を実施するための形態】
【００１６】
以下、図面を参照しながら、本考案の実施の形態を説明する。
【００１７】
（収納箱の構成）
図１は、本考案の実施の形態にかかる収納箱１の斜視図である。図２は、図１に示す収納箱１の側面図である。図３は、図１に示す収納箱１同士を連結する前の状態の斜視図である。図４は、図１に示す収納箱１同士を連結した状態の斜視図である。なお、以下では、図１等に示すように、互いに直交する３方向のそれぞれをＸ方向、Ｙ方向およびＺ方向とするとともに、Ｘ方向を「前後方向」、Ｙ方向を「左右方向」、Ｚ方向を「上下方向」とする。
【００１８】
本形態の収納箱１は、被収納物であるティッシュペーパー２を収納するためのティッシュペーパー収納箱であり、厚紙によって形成された紙製の収納箱である。収納箱１は、中空の直方体状に形成されており、収納箱１の上面を構成する上面部３と、収納箱１の底面を構成する底面部４と、収納箱１の左右の側面を構成する２個の側面部（第１側面部）５と、収納箱１の前後の側面を構成する２個の側面部（第２側面部）６とを備えている。上面部３には、収納されたティッシュペーパー２を取り出すための取出用開口部３ａが形成されている。２個の側面部５は、互いに略平行に配置され、２個の側面部６は、側面部５に略直交するとともに、互いに略平行に配置されている。側面部５の横方向（前後方向）の幅は、側面部６の横方向（左右方向）の幅よりも広くなっている。
【００１９】
２個の側面部５のそれぞれには、上面部３と側面部５との境界８に繋がるミシン目（第１のミシン目）９が側面部５を貫通するように形成されている。ミシン目９は、略Ｕ形状に形成されている。具体的には、ミシン目９は、上下方向における側面部５の中心位置よりも底面部４側に形成されるとともに左右方向から見たときに前後方向と略平行に形成される直線状の底辺部９ａと、前後方向における底辺部９ａの両端から境界８までの間に形成される直線状の２本の斜辺部９ｂとから構成されている。また、斜辺部９ｂは、境界８に向かうにしたがって、前後方向の外側に広がるように傾斜しており、ミシン目９は、左右方向から見たときの形状が等脚台形状となるように形成されている。
【００２０】
２個の側面部５のそれぞれには、２個のミシン目９が前後方向に所定の間隔で形成されている。具体的には、図２に示すように、前後方向において、一方の側面部６と一方のミシン目９の中心Ｃ１との距離Ｌ１と、一方のミシン目９の中心Ｃ１と他方のミシン目９の中心Ｃ２との距離Ｌ２と、他方のミシン目９の中心Ｃ２と他方の側面６との距離Ｌ３とが略等しくなるように、２個の側面部５のそれぞれに２個のミシン目９が形成されている。
【００２１】
本形態では、側面部５の一部をミシン目９に沿って切り、境界８で折り曲げると、図３に示すように、折り曲げられた側面部５の一部によって等脚台形状の舌片部１０が形成されるとともに、舌片部１０と同形状の開口部１１が側面部５を貫通するように側面部５に形成される。すなわち、２個の側面部５のそれぞれに、２個の舌片部１０および開口部１１が形成される。
【００２２】
２個の側面部５のそれぞれの下端側には、底面部４と側面部５の境界１２に沿って直線状のミシン目（第２のミシン目）１３が形成されている。ミシン目１３は、左右方向から見たときに前後方向と略平行に形成されるとともに、境界１２の近傍に形成されている。また、ミシン目１３は、ミシン目９の下側に形成されている。すなわち、２個の側面部５のそれぞれには、２個のミシン目１３が前後方向に所定の間隔で形成されている。具体的には、前後方向におけるミシン目９の中心Ｃ１、Ｃ２とミシン目１３の中心とが略一致するように、ミシン目１３は、ミシン目９の下側に形成されている。前後方向におけるミシン目１３の幅は、前後方向におけるミシン目９の最大幅（すなわち、２本の斜辺部９ｂの上端の距離）よりもわずかに広くなっている。
【００２３】
本形態では、図４に示すように、２個の収納箱１を上下方向に重ねた状態で連結することが可能となっており、ティッシュペーパー２が内部に収納されている使用中の収納箱１（以下、「収納箱１Ａ」とする）と、ティッシュペーパー２を使い切った後の使用済みの収納箱１（以下、「収納箱１Ｂ」とする）とが、上からこの順番に重ねられた状態で連結される。
【００２４】
収納箱１Ａと収納箱１Ｂとが連結される際には、図３に示すように、まず、収納箱１Ａの側面部５の下端側がミシン目１３に沿って切られて、収納箱１Ａに被差込み部１４が形成される。また、収納箱１Ｂの一部がミシン目９に沿って切られ、境界８で折り曲げられて、舌片部１０および開口部１１が形成される。その後、図４に示すように、収納箱１Ａと収納箱１Ｂとを上からこの順番で重ねて、収納箱１Ａの被差込み部１４に、収納箱１Ｂの舌片部１０を折り曲げながら完全に差し込むと、収納箱１Ａと収納箱１Ｂとが連結される。なお、上述のように、ミシン目１３は境界１２の近傍に形成されているため、収納箱１Ｂの舌片部１０は、収納箱１Ａに収納されているティッシュペーパー２のうちの一番下のティッシュペーパー２と底面部４の上面との間に差し込まれる。
【００２５】
収納箱１Ａ、１Ｂが連結されると、収納箱１Ｂは、ゴミ箱として使用される。収納箱１Ｂの中には、開口部１１から使用済みのティッシュペーパー２等のゴミが入れられる。なお、収納箱１Ｂがゴミでいっぱいになると、収納箱１Ａから収納箱１Ｂが取り外されて、収納箱１Ｂごと、たとえば、ゴミ袋の中に捨てられる。また、収納箱１Ａの中のティッシュペーパー２がなくなると、その収納箱１Ａは、使用済みの収納箱１Ｂとなり、使用中の他の収納箱１Ａに連結される。
【００２６】
（本形態の主な効果）
以上説明したように、本形態では、収納箱１Ｂの一部がミシン目９に沿って切られ、境界８で折り曲げられると、舌片部１０および開口部１１が形成され、収納箱１Ａと収納箱１Ｂとを上からこの順番で重ねて、収納箱１Ａの被差込み部１４に、収納箱１Ｂの舌片部１０を折り曲げながら差し込むと、収納箱１Ａと収納箱１Ｂとが連結される。そのため、収納箱１Ａと収納箱１Ｂとが連結された状態では、収納箱１Ｂの側面部５に、開口部１１が形成されている。したがって、本形態では、使用中の収納箱１Ａの下側にゴミ箱として利用される使用済みの収納箱１Ｂが連結される場合であっても、開口部１１から収納箱１Ｂの中へゴミを容易に捨てることができる。また、本形態では、２個の収納箱１Ａ、１Ｂを連結するための舌片部１０を形成すれば、収納箱１Ｂにゴミを入れるための開口部１１が必然的に形成されるため、収納箱１の構成を簡素化することが可能になり、また、収納箱１Ｂにゴミを入れるための開口部１１を容易に形成することが可能になる。
【００２７】
本形態では、ミシン目９は、左右方向から見たときの形状が境界８に向かうにしたがって前後方向の外側に広がる等脚台形状となるように形成されている。また、本形態では、前後方向におけるミシン目１３の幅は、前後方向におけるミシン目９の最大幅よりもわずかに広くなっている。そのため、２個の収納箱１Ａ、１Ｂを連結する際に、ミシン目９に沿って切られて折り曲げられることで形成される収納箱１Ｂの舌片部１０を、ミシン目１３に沿って切られて形成される収納箱１Ａの被差込み部１４に差し込みやすくなる。
【００２８】
本形態では、側面部６よりも横方向の幅が広い２個の側面部５のそれぞれに、２個のミシン目９およびミシン目１３が形成されており、２個の側面部５のそれぞれに２個の舌片部１０および被差込み部１４が形成される。そのため、２個の側面部６のそれぞれに２個の舌片部１０および被差込み部１４が形成される場合と比較して、２個の舌片部１０間の距離、および、２個の被差込み部１４間の距離を広げることができる。したがって、本形態では、合計４個の舌片部１０および被差込み部１４によって、２個の収納箱１Ａ、１Ｂの連結強度を高めることが可能になり、その結果、収納箱１Ａから収納箱１Ｂが外れにくくなる。また、本形態では、横方向の幅の広い側面部５に、舌片部１０および被差込み部１４が形成されるため、側面部６に、舌片部１０および被差込み部１４が形成される場合と比較して、収納箱１Ｂの強度を確保しやすくなる。
【００２９】
（他の実施の形態）
上述した形態では、側面部５の下端側に、ミシン目１３が形成されているが、ミシン目１３に代えて、側面部５の下端側に、側面部５を貫通する直線状の切り込みが形成されても良い。この場合には、収納箱１Ａの切り込みに、収納箱１Ｂの舌片部１０が折り曲げながら差し込まれると、収納箱１Ａと収納箱１Ｂとが連結される。
【００３０】
上述した形態では、２個の側面部５のそれぞれに、２個のミシン目９およびミシン目１３が形成されているが、２個の側面部５のそれぞれに、３個以上のミシン目９およびミシン目１３が形成されても良いし、１個のミシン目９およびミシン目１３が形成されても良い。また、２個の側面部５のそれぞれに加えて、または、２個の側面部５のそれぞれに代えて、２個の側面部６のそれぞれに、３個以上のミシン目９およびミシン目１３が形成されても良いし、１個のミシン目９およびミシン目１３が形成されても良い。
【００３１】
上述した形態では、収納箱１に収納される被収納物は、ティッシュペーパー２であるが、ティッシュペーパー２以外の紙やビニール袋等が収納箱１に収納されても良い。
【符号の説明】
【００３２】
１（１Ａ、１Ｂ）  収納箱
２  ティッシュペーパー（被収納物）
３  上面部
３ａ  取出用開口部
４  底面部
５  側面部（第１側面部）
６  側面部（第２側面部）
８  上面部と側面部との境界
９  ミシン目（第１のミシン目）
１０  舌片部
１１  開口部
１２  底面部と側面部との境界
１３  ミシン目（第２のミシン目）
１４  被差込み部
【図１】
0003170615.tif 000003
【図２】
0003170615.tif 000004
【図３】
0003170615.tif 000005
【図４】
0003170615.tif 000006